(57)【要約】【課題】簡単な構成の一つの開き防止部材により上下段の引出しと扉とを同時に開かないようにできる。【解決手段】開き防止部材４を、扉２の一側端部と上段の引出し３の下端部と下段の引出し３の上端部とのなす略横向きＴ字状をした交差部位に配置する。開き防止部材の表面縦片部５の扉前面当たり部１１を扉２の前面に当接する。上段前面板部前面当たり部１３を上段の引出し３の前面板部１２の前面に当接する。下段前面板部前面当たり部１４を下段の引出し３の前面板部１２の前面に当接する。扉背面当たり部１５を扉２の背面に当接する。上段前面板部背面当たり部１６を上段の引出し３の前面板部１２の背面に当接する。下段前面板部背面当たり部１７を下段の引出し３の前面板部１２の背面に当接する。【選択図】        図１
2004231200.tif 000002
【特許請求の範囲】
【請求項１】
キャビネットに設けた扉の一側端部と、この扉の側方に隣接して配置された上下段の引出しの上段の引出しの下端部と下段の引出しの上端部とのなす略横向きＴ字状をした交差部位に配置されて扉と上下段の引出しの前面板とを前後から挟持して保持するための引出し・扉開き防止部材であって、表面縦片部の中央部に切り起こし用開口部を形成し、この切り起こし用開口部内の部位を表面縦片部から切り起こした切り起こし片が切り起こし用開口部の上縁部の中央部から背方に向けて突出する横片部と、この横片部の突出先端部に連続した背面縦片部とで構成し、背面縦片部が略凹字状をしていると共にこの略凹字状をした背面縦片部の上部中央の凹み下縁部が横片部の突出先端部に連続して開き防止部材を構成し、該開き防止部材の表面縦片部の横片部の一側を通る仮想垂直線で表面縦片部を左右に分割した場合における面積の小さい方を扉前面当たり部とし、開き防止部材の表面縦片部の横片部の一側を通る仮想垂直線で表面縦片部を左右に分割した場合における面積の大きい方を切り起こし用開口部の上縁部に沿った線で上下に分割して上部を上段の引出しの前面板部の前面に当接する上段前面板部前面当たり部とすると共に、下部を下段の引出しの前面板部の前面に当接する下段前面板部前面当たり部とし、上記と同様の横片部の一側を通る仮想垂直線で背面縦片部を左右に分割した場合における面積の小さい方を扉背面当たり部とし、上記と同様の横片部の一側を通る仮想垂直線で背面縦片部を左右に分割した場合における面積の大きい方を切り起こし用開口部の上縁部に沿った仮想線で上下に分割して上部を上段の引出しの前面板部の背面に当接する上段前面板部背面当たり部とすると共に、下部を下段の引出しの前面板部の背面に当接する下段前面板部背面当たり部として成ることを特徴とする引出し・扉開き防止部材。
【請求項２】
キャビネットに回動自在な扉と、この扉の側方に隣接して上下多段に引出しを配置し、上記請求項１の開き防止部材を、扉の一側端部と上段の引出しの下端部と下段の引出しの上端部とのなす略横向きＴ字状をした交差部位に配置し、該開き防止部材の表面縦片部の扉前面当たり部を扉の前面に当接し、上段前面板部前面当たり部を上段の引出しの前面板部の前面に当接し、下段前面板部前面当たり部を下段の引出しの前面板部の前面に当接し、扉背面当たり部を扉の背面に当接し、上段前面板部背面当たり部を上段の引出しの前面板部の背面に当接し、下段前面板部背面当たり部を下段の引出しの前面板部の背面に当接して成ることを特徴とする引出し・扉の開き防止構造。
【発明の詳細な説明】
【０００１】
【発明の属する技術分野】
本発明は、キャビネットにおける引出し、扉が開くのを防止するための引出し・扉開き防止部材及び引出し・扉の開き防止構造に関するものである。
【０００２】
【従来の技術】
従来からキャビネットを梱包箱内に梱包する際にキャビネットの扉が開かないようにするための扉開き防止部材が知られている。（例えば特許文献１参照）
この特許文献１に示される扉開き防止部材は一つの扉の把手に一つの扉開き防止部材を着脱自在に取付けて該扉開き防止部材をキャビネットの天板の前端部の下面に設けた切欠部に着脱自在に係止することで、一つの扉が搬送中に開かないようにしていた。
【０００３】
この従来例にあっては、一つの扉のみを一つの開き防止部材により開かないようにしたものでしかなく、また、キャビネットの前端部の下面に切欠部を設けたものでなければ使用できなかった。
【０００４】
このように、従来にあっては、上下段の引出しと扉との３者を一つの開き防止部材で同時に開かないようにするものは無かった。
【０００５】
【特許文献１】
実開平５−３５７７５号公報
【０００６】
【発明が解決しようとする課題】
本発明は上記の点に鑑みてなされたものであり、簡単な構成の一つの開き防止部材により上下段の引出しと扉とを同時に開かないようにできる引出し・扉開き防止部材及び引出し・扉の開き防止構造を提供することを課題とするものである。
【０００７】
【課題を解決するための手段】
上記課題を解決するために本発明に係る引出し・扉開き防止部材は、キャビネット１に設けた扉２の一側端部と、この扉２の側方に隣接して配置された上下段の引出し３の上段の引出し３の下端部と下段の引出し３の上端部とのなす略横向きＴ字状をした交差部位に配置されて扉２と上下段の引出し３の前面板とを前後から挟持して保持するための引出し・扉開き防止部材４であって、表面縦片部５の中央部に切り起こし用開口部６を形成し、この切り起こし用開口部６内の部位を表面縦片部５から切り起こした切り起こし片７が切り起こし用開口部６の上縁部の中央部から背方に向けて突出する横片部８と、この横片部８の突出先端部に連続した背面縦片部９とで構成し、背面縦片部９が略凹字状をしていると共にこの略凹字状をした背面縦片部９の上部中央の凹み１０下縁部が横片部８の突出先端部に連続して開き防止部材４を構成し、該開き防止部材の表面縦片部５の横片部８の一側を通る仮想垂直線で表面縦片部５を左右に分割した場合における面積の小さい方を扉前面当たり部１１とし、開き防止部材４の表面縦片部５の横片部８の一側を通る仮想垂直線で表面縦片部５を左右に分割した場合における面積の大きい方を切り起こし用開口部６の上縁部に沿った線で上下に分割して上部を上段の引出し３の前面板部１２の前面に当接する上段前面板部前面当たり部１３とすると共に、下部を下段の引出し３の前面板部１２の前面に当接する下段前面板部前面当たり部１４とし、上記と同様の横片部８の一側を通る仮想垂直線で背面縦片部９を左右に分割した場合における面積の小さい方を扉背面当たり部１５とし、上記と同様の横片部８の一側を通る仮想垂直線で背面縦片部９を左右に分割した場合における面積の大きい方を切り起こし用開口部６の上縁部に沿った仮想線で上下に分割して上部を上段の引出し３の前面板部１２の背面に当接する上段前面板部背面当たり部１６とすると共に、下部を下段の引出し３の前面板部１２の背面に当接する下段前面板部背面当たり部１７として成ることを特徴とするものである。
【０００８】
また、本発明の引出し・扉の開き防止構造は、キャビネット１に回動自在な扉２と、この扉２の側方に隣接して上下多段に引出し３を配置し、上記請求項１の開き防止部材４を、扉２の一側端部と上段の引出し３の下端部と下段の引出し３の上端部とのなす略横向きＴ字状をした交差部位に配置し、該開き防止部材の表面縦片部５の扉前面当たり部１１を扉２の前面に当接し、上段前面板部前面当たり部１３を上段の引出し３の前面板部１２の前面に当接し、下段前面板部前面当たり部１４を下段の引出し３の前面板部１２の前面に当接し、扉背面当たり部１５を扉２の背面に当接し、上段前面板部背面当たり部１６を上段の引出し３の前面板部１２の背面に当接し、下段前面板部背面当たり部１７を下段の引出し３の前面板部１２の背面に当接して成ることを特徴とするものである。
【０００９】
このように本発明においては、開き防止部材４を、扉２の一側端部と上段の引出し３の下端部と下段の引出し３の上端部とのなす略横向きＴ字状をした交差部位に配置し、該開き防止部材の表面縦片部５の扉前面当たり部１１を扉２の前面に当接し、上段前面板部前面当たり部１３を上段の引出し３の前面板部１２の前面に当接し、下段前面板部前面当たり部１４を下段の引出し３の前面板部１２の前面に当接し、扉背面当たり部１５を扉２の背面に当接し、上段前面板部背面当たり部１６を上段の引出し３の前面板部１２の背面に当接し、下段前面板部背面当たり部１７を下段の引出し３の前面板部１２の背面に当接することで、一つの開き防止部材４により上下段の引出し３と側方に隣接する扉２との３部材をそれぞれ表裏（前後）から挟持し、３部材のいずれかが開こうとすると、開き防止部材４により一体に挟持された他の２部材により開くのが防止されるというように相互に開くのを規制し合うことになって、一つの開き防止部材４で梱包、搬送時に上下段の引出し３、扉２が開かないようにできるものである。
【００１０】
【発明の実施の形態】
以下、本発明を添付図面に示す実施形態に基づいて説明する。
【００１１】
図１には本発明の引出し・扉開き防止部材４が示してある。この開き防止部材４はダンボールのような紙、合成樹脂板等により構成してあり、正方形又は長方形状の表面縦片部５の中央部を図３（ａ）の太線のように切り込んで切り起こし用開口部６を形成し、この切り起こし用開口部６内の部位を図３（ｂ）→図３（ｃ）のように表面縦片部５から背方に向けて切り起こして切り起こし片７を表面縦片部５から一体に連設してある。ここで、表面縦片部５の中央部を切り込むにあたっては、図３（ａ）の太線で示すように略凹字状の凹み１０の下縁部以外の凹字状の外周を切り込んで形成してある。
【００１２】
このようにして表面縦片部５の中央部の切り起こし用開口部６内の部位を表面縦片部５から切り起こして形成した切り起こし片７は、切り起こし用開口部６の上縁部の中央部から背方に向けて突出する横片部８と、この横片部８の突出先端部に連続した背面縦片部９とで構成してある。
【００１３】
横片部８は表面縦片部５と一体に連続する部位を切り起こし用開口部６の上縁部に沿って折れ線１８により背方に折り曲げてあり、更に、背面縦片部９は略凹字状をしていてこの略凹字状をした背面縦片部９の上部中央の凹み１０下縁部が横片部８の背方突出先端部に連続しており、この横片部８の背方突出先端部と背面縦片部９とが連続する部位である背面縦片部９の凹み１０の下縁部が折れ線１９となって背面縦片部９が横片部８に対して直角に折り曲げてある。
【００１４】
ここで、図２において開き防止部材４の表面縦片部５の横片部８の一側を通る仮想垂直線（又は横片部８の一側端縁を通る仮想垂直面）で表面縦片部５を左右に分割した場合における面積の小さい方（図２においてイで示す部位）を扉前面当たり部１１とし、開き防止部材４の表面縦片部５の横片部８の一側を通る仮想垂直線で表面縦片部５を左右に分割した場合における面積の大きい方（図２においてロで示す）を切り起こし用開口部６の上縁部に沿った線で上下に分割して上部（図２においてハで示す）を上段の引出し３の前面板部１２の前面に当接する上段前面板部前面当たり部１３とすると共に、下部（図２においてニで示す）を下段の引出し３の前面板部１２の前面に当接する下段前面板部前面当たり部１４としてある。
【００１５】
また、上記と同様の横片部８の一側を通る仮想垂直線（又は横片部８の一側端縁を通る仮想垂直面）で背面縦片部９を左右に分割した場合における面積の小さい方（図２においてホで示す）を扉背面当たり部１５とし、上記と同様の横片部８の一側を通る仮想垂直線で背面縦片部９を左右に分割した場合における面積の大きい方（図２においてヘで示す）を切り起こし用開口部６の上縁部に沿った仮想線で上下に分割して上部（図２においてトで示す）を上段の引出し３の前面板部１２の背面に当接する上段前面板部背面当たり部１６とすると共に、下部（図２においてチで示す）を下段の引出し３の前面板部１２の背面に当接する下段前面板部背面当たり部１７としてある。
【００１６】
なお、図２において、扉前面当たり部１１、上段前面板部前面当たり部１３、下段前面板部前面当たり部１４、扉背面当たり部１５、上段前面板部背面当たり部１６、下段前面板部背面当たり部１７はそれぞれ図面上便宜上密度の異なる黒点模様や各種ハッチング模様等を付して各部位の区別がつくようにしてあるが、実際のものにおいてはこれら黒点模様やハッチング模様等はない。
【００１７】
本発明の引出し・扉開き防止部材４を使用するキャビネット１は洗面化粧台、流し台、調理台、その他の家具等であり、このキャビネット１には回動自在な扉２と、この扉２のキャビネット１への丁番のような軸支部２０と反対側の端部の側方に隣接して上下多段に引出し３を配設してある。
【００１８】
キャビネット１内には扉２で開閉自在となる収納空間と、引出し３を収納する空間とを仕切るための側板２１が設けてある。
【００１９】
引出し３は上方が開口した引出し用箱体２２の前面に前面板部１２を設けて構成してあり、前面板部１２は上端部、下端部、両側部がそれぞれ引出し用箱体２２の上端部、下端部、両側部よりも外側に突出した上突出部１２ａ、下突出部１２ｂ、側方突出部１２ｃとなっている。
【００２０】
ここで、上突出部１２ａの上下長さは前述の開き防止部材４の下段前面板部背面当たり部１７の上下長さよりも長くなっており、また、下突出部１２ｂの上下長さは開き防止部材４の上段前面板部背面当たり部１６の上下長さよりも長くなっている。また、前面板部１２の厚みは扉２の厚みと同じとなっており、更に、この前面板部１２、扉２の厚みは開き防止部材４の横片部８の背方への突出長さ（前後長）と同じ長さとなっている。
【００２１】
しかして、開き防止部材４により扉２と、該扉２の側方に隣接する上下段の引出し３が開かないように取付けるに当たっては、以下のようにするものである。
【００２２】
まず、図５に示すように、上下段の引出し３を少し前方に引き出し、この状態で上段の引き出し３の下突出部１２ｂ、下段の引き出し３の上突出部１２ａの扉２側に隣接した方の端部側において、開き防止部材４の表面縦片部５の一側部の背面側を上下段の引き出し３の前面板部１２の前面にわたって当てると共に背面縦片部９の一側部の前面を上下段の引き出し３の前面板部１２の背面にわたって当て、更に、横片部８を上下段の引き出し３の前面板部１２間の小隙間に挿し込み、この状態で図６のように開き防止部材４の背面縦片部９の上記挿し込み方向と反対側の側端が扉２の側端よりも引き出し３側にずれて位置するまで押し込む。
【００２３】
次に、このこの状態で上下段の引出し３を押し込んで閉じることで図７のように、扉２の前面に表面縦片部５の他端部の背面を当接する。次に、図８のように、開き防止部材４を横片部８の一側端が扉２の側端面に当たるまで扉２の方に移動させる。このようにして図４に示すように開き防止部材４を、扉２と、扉２の側方に隣接して配置された上下段の引出し３の上段の引出し３の下端部と下段の引出し３の上端部とのなす略横向きＴ字状をした交差部位に配置して取付けるものである。
【００２４】
これにより、開き防止部材４が扉２の一側端部と上段の引出し３の下端部と下段の引出し３の上端部とのなす略横向きＴ字状をした交差部位に配置されて、開き防止部材の表面縦片部５の扉前面当たり部１１が扉２の前面に当接すると共に扉背面当たり部１５を扉２の背面に当接して扉２を前後から挟持し、また、上段前面板部前面当たり部１３が上段の引出し３の前面板部１２の前面に当接すると共に上段前面板部背面当たり部１６が上段の引出し３の前面板部１２の背面に当接して上段の引出し３の前面板部１２を前後から挟持し、また、下段前面板部前面当たり部１４が下段の引出し３の前面板部１２の前面に当接すると共に下段前面板部背面当たり部１７が下段の引出し３の前面板部１２の背面に当接して下段の引出し３の前面板部１２を前後から挟持するものである。図９に挟持部分の断面図を示している。
【００２５】
このようにして、一つの開き防止部材４により上下段の引出し３と側方に隣接する扉２との３部材をそれぞれ表裏（前後）から挟持し、３部材のいずれかが開こうとすると、開き防止部材４により一体に挟持された他の２部材により開くのが防止されるというように相互に開くのを規制し合うことになって、一つの開き防止部材４で梱包、搬送時に上下段の引出し３、扉２が開かないようにできるものである。特に、扉２が開くためには扉２の端部は軸支部２０を中心に円運動をし、また、引出し３が開くには前方への直線運動をするため、引出し３が開くために直線運動して開こうとしても扉２が開くための円運動が阻害となって引出し３が開かず、また、扉２を開くために軸支部２０を中心に円運動して開こうとしても、引き出し３を開くための直線運動が阻害となった扉２が開かないものである。
【００２６】
このように、一つの開き防止部材４により上下段の引出し３と側方に隣接する扉２とが開かないようにした状態で、キャビネット１を梱包箱内に入れを梱包するものである。
【００２７】
ところで、開き防止部材４を取り外すには上記した取付け順序と逆の順序で取り外すことができるものである。
【００２８】
なお、図１１のようにキャビネット１に両開き扉２が設けてある場合には、図１０に示すような開き防止部材２３を用いて両開き扉２の開き防止を行うことができる。開き防止部材２３はダンボールのような紙や合成樹脂製の板材により構成してあって正面視略コ字状をしており、帯状横片部２４の両端部に脚片２５を垂設し、脚片２５の先端部の対向部分に係止片部２６を設けて構成してある。そして、両開き扉２の隣接するコ字状又は円弧状をした把手２７の腕部２７ａにそれぞれ両側の係止片部２６を係止して開き防止部材２３を両開き扉２の前面にわたって跨らせて配置することで、両開き扉２が開かないようにするものである。
【００２９】
また、扉２のキャビネット１への軸支部２０側の端部の側方に隣接して上下多段に引出し３を配設してある場合には、図１２に示すような開き防止部材３０を用いて開き止めを行うものである。この開き防止部材３０はダンボールのような紙や合成樹脂製の板により形成してあって、折り曲げ自在となっている。この開き防止部材３０は板状をしていて下端縁部の一側端付近に係止凹み３１を形成して構成してあり、図１３のように扉２を開くことで生じる扉２の軸支部２０側の端部と隣接する上下の引出し３の前面板部１２の側端部との間の隙間に開き防止部材３０の係止凹み３１と反対側の側端部を差し込み、次に、図１４に示すように、上下の引出し３の前面板部１２の側端部に沿って開き防止部材３０を折って開き防止部材３０を上下の引き出し３の前面板部１２の前面に当接すると共に係止凹み３１を下段の引出し３の前面に突設したコ字状又は円弧状をした把手３２の腕部３２ａに係止し、次に、図１５に示すように、扉２を閉じることで、扉２の軸支部２０側の端部と隣接する上下の引出し３の前面板部１２の側端部との間に差し込まれた開き防止部材３０が扉２の側端部と隣接する上下の引出し３の前面板部１２の側端部とで挟持されるものである。これにより、上下段の引出し３が開くのが防止され、また、扉２が開くのが防止されるものである。
【００３０】
【発明の効果】
上記のように本発明にあっては、開き防止部材を、扉の一側端部と上段の引出しの下端部と下段の引出しの上端部とのなす略横向きＴ字状をした交差部位に配置し、該開き防止部材の表面縦片部の扉前面当たり部を扉の前面に当接し、上段前面板部前面当たり部を上段の引出しの前面板部の前面に当接し、下段前面板部前面当たり部を下段の引出しの前面板部の前面に当接し、扉背面当たり部を扉の背面に当接し、上段前面板部背面当たり部を上段の引出しの前面板部の背面に当接し、下段前面板部背面当たり部を下段の引出しの前面板部の背面に当接することで、一つの開き防止部材により上下段の引出しと側方に隣接する扉との３部材をそれぞれ表裏（前後）から挟持し、３部材のいずれかが開こうとすると、開き防止部材により一体に挟持された他の２部材により開くのが防止されるというように相互に開くのを規制し合うものであり、これにより一つの開き防止部材で梱包、搬送時に上下段の引出し、扉が開かないようにできるものであり、しかも、この１つで扉と上下段の引出しとを同時に開き防止するための開き防止部材は一枚の表面縦片部を略凹字状に切り欠いて切り起こし片を背方に切り起こすことで構成できて、簡単な構成の開き防止部材で１つで扉と上下段の引出しとを同時に開き防止できるものである。
【図面の簡単な説明】
【図１】本発明の開き防止部材の前方側から見た斜視図である。
【図２】同上の背方側から見た斜視図である。
【図３】（ａ）（ｂ）（ｃ）は同上の開き防止部材を形成する順序を示す説明図である。
【図４】同上の開き防止部材の取付け状態の斜視図である。
【図５】同上の開き防止部材の取付け順序を示す説明図である。
【図６】同上の開き防止部材の取付け順序を示す説明図である。
【図７】同上の開き防止部材の取付け順序を示す説明図である。
【図８】同上の開き防止部材の取付け順序を示す説明図である。
【図９】同上の取付け状態の断面図である。
【図１０】両開き扉が開くのを防止するための開き防止部材の正面図である。
【図１１】同上の開き防止部材で両開き扉が開くのを防止している状態の正面図である。
【図１２】開き扉の軸支部側の端部と上下段の引出しの開き止めをするための開き止め部材の正面図である。
【図１３】同上の開き防止部材の取付け順序を示す説明図である。
【図１４】同上の開き防止部材の取付け順序を示す説明図である。
【図１５】同上の開き防止部材の取付け順序を示す説明図である。
【符号の説明】
１  キャビネット
２  扉
３  引出し
４  開き防止部材
５  表面縦片部
６  切り起こし用開口部
７  切り起こし片
８  横片部
９  背面縦片部
１０  凹み
１１  扉前面当たり部
１２  前面板部
１３  上段前面板部前面当たり部
１４  下段前面板部前面当たり部
１５  扉背面当たり部
１６  上段前面板部背面当たり部
１７  下段前面板部背面当たり部
【図１】
2004231200.tif 000003
【図２】
2004231200.tif 000004
【図３】
2004231200.tif 000005
【図４】
2004231200.tif 000006
【図５】
2004231200.tif 000007
【図６】
2004231200.tif 000008
【図７】
2004231200.tif 000009
【図８】
2004231200.tif 000010
【図９】
2004231200.tif 000011
【図１０】
2004231200.tif 000012
【図１１】
2004231200.tif 000013
【図１２】
2004231200.tif 000014
【図１３】
2004231200.tif 000015
【図１４】
2004231200.tif 000016
【図１５】
2004231200.tif 000017